(57)【特許請求の範囲】
【請求項１】
セルラＲＡＮ及び無線ＬＡＮの中からユーザ端末のトラフィックを収容するアクセスネットワークを選択するための複数のネットワーク選択方式を利用可能な通信システムにおいて用いられる通信制御方法であって、
前記セルラＲＡＮに含まれるセルに在圏するユーザ端末が、前記複数のネットワーク選択方式の中の所定のネットワーク選択方式を前記ユーザ端末が許容しない場合に、その旨の通知を前記セルラＲＡＮに送信するステップと、
前記ユーザ端末が、前記複数のネットワーク選択方式のうち前記所定のネットワーク選択方式以外のネットワーク選択方式の中から前記セルラＲＡＮが決定したネットワーク選択方式に関するネットワーク選択構成を前記セルラＲＡＮから受信するステップを有することを特徴とする通信制御方法。
【請求項２】
前記ネットワーク選択構成は、前記セルラＲＡＮが決定したネットワーク選択方式を指定する情報と、前記セルラＲＡＮが決定したネットワーク選択方式に対応するネットワーク選択パラメータと、を含むことを特徴とする請求項１に記載の通信制御方法。
【請求項３】
前記ユーザ端末は、前記セルラＲＡＮから受信した第１情報に応じて前記通知を前記セルラＲＡＮに送信することを特徴とする請求項１に記載の通信制御方法。
【請求項４】
前記ネットワーク選択構成に含まれる前記ネットワーク選択パラメータに不足がある場合に、不足するネットワーク選択パラメータを示す情報を前記ユーザ端末から前記セルラＲＡＮに送信するステップと、
前記不足するネットワーク選択パラメータを前記ユーザ端末が前記セルラＲＡＮから受信するステップと、をさらに有することを特徴とする請求項２に記載の通信制御方法。
【請求項５】
前記ユーザ端末は、所定のトリガに応じて前記セルラＲＡＮから送信された前記ネットワーク選択構成を受信し、
前記所定のトリガは、前記セルラＲＡＮが過負荷であること、又は、前記セルラＲＡＮと前記無線ＬＡＮとの間でトラフィックの切り替えが多発していることであることを特徴とする請求項１に記載の通信制御方法。
【請求項６】
前記複数のネットワーク選択方式は、前記ユーザ端末のトラフィックを収容するアクセスネットワークの決定権を前記ユーザ端末が持つ第１の方式と、前記決定権を前記セルラＲＡＮが持つ第２の方式と、を含み、
前記所定のトリガに応じて前記セルラＲＡＮから送信された前記ネットワーク選択構成は、前記第２の方式を指定する情報を含むことを特徴とする請求項５に記載の通信制御方法。
【請求項７】
前記複数のネットワーク選択方式は、前記ユーザ端末のトラフィックを収容するアクセスネットワークの選択規則をＡＮＤＳＦサーバからのみ提供する第１の方式と、前記選択規則を前記セルラＲＡＮから提供可能な第２の方式と、を含み、
前記所定のトリガに応じて前記セルラＲＡＮから送信された前記ネットワーク選択構成は、前記第２の方式を指定する情報を含むことを特徴とする請求項５に記載の通信制御方法。
【請求項８】
前記セルラＲＡＮと前記無線ＬＡＮとの間におけるトラフィックの切り替え回数に関する閾値を前記ユーザ端末が前記セルラＲＡＮから受信するステップと、
前記ユーザ端末における前記切り替え回数が前記閾値を超えたことに応じて、その旨の通知を前記ユーザ端末から前記セルラＲＡＮに送信するステップと、をさらに有することを特徴とする請求項５に記載の通信制御方法。
【請求項９】
前記ユーザ端末が前記セルラＲＡＮとの接続を解放する際に、無線ＬＡＮ報告要求を前記ユーザ端末が前記セルラＲＡＮから受信するステップと、
前記ユーザ端末が、前記セルラＲＡＮとの次回接続時に、前記無線ＬＡＮ報告要求に基づいて、直前に接続した無線ＬＡＮに関する無線ＬＡＮ報告を前記セルラＲＡＮに送信するステップと、をさらに有することを特徴とする請求項５に記載の通信制御方法。
【請求項１０】
前記複数のネットワーク選択方式の中から前記セルラＲＡＮが決定したネットワーク選択方式を示す情報を前記セルラＲＡＮからコアネットワークが受信するステップをさらに有することを特徴とする請求項１に記載の通信制御方法。
【請求項１１】
セルラＲＡＮ及び無線ＬＡＮの中からユーザ端末のトラフィックを収容するアクセスネットワークを選択するための複数のネットワーク選択方式を利用可能な通信システムにおいて、前記セルラＲＡＮに含まれるセルに在圏するユーザ端末であって、
前記複数のネットワーク選択方式の中の所定のネットワーク選択方式を前記ユーザ端末が許容しない場合に、その旨の通知を前記セルラＲＡＮに送信する送信部と、
前記複数のネットワーク選択方式のうち前記所定のネットワーク選択方式以外のネットワーク選択方式の中から前記セルラＲＡＮが決定したネットワーク選択方式に関するネットワーク選択構成を前記セルラＲＡＮから受信する受信部を備えることを特徴とするユーザ端末。
【請求項１２】
セルラＲＡＮ及び無線ＬＡＮの中からユーザ端末のトラフィックを収容するアクセスネットワークを選択するための複数のネットワーク選択方式を利用可能な通信システムにおいて、前記セルラＲＡＮを構成する基地局であって、
自セルに在圏するユーザ端末が前記複数のネットワーク選択方式の中の所定のネットワーク選択方式を許容しない場合に、その旨の通知を前記ユーザ端末から受信する受信部と、
前記ユーザ端末に、前記複数のネットワーク選択方式のうち前記所定のネットワーク選択方式以外のネットワーク選択方式の中から自セルで適用するネットワーク選択方式に関するネットワーク選択構成を送信する送信部と、を備えることを特徴とする基地局。
【発明の詳細な説明】
【技術分野】
【０００１】
本発明は、無線ＬＡＮシステムと連携可能なセルラ通信システムにおいて用いられる通信制御方法、ユーザ端末、及び基地局に関する。
【背景技術】
【０００２】
近年、セルラ通信及び無線ＬＡＮ（Ｌｏｃａｌ  Ａｒｅａ  Ｎｅｔｗｏｒｋ）通信を有するユーザ端末（いわゆる、デュアル端末）の普及が進んでいる。また、セルラ通信システムのオペレータにより管理される無線ＬＡＮアクセスポイントが増加している。【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラＲＡＮ（Ｒａｄｉｏ  Ａｃｃｅｓｓ  Ｎｅｔｗｏｒｋ）及び無線ＬＡＮの連携を強化できる技術が検討されている。【０００４】
例えば、セルラＲＡＮが収容しているユーザ端末のトラフィックを、無線ＬＡＮが収容するよう切り替えることにより、セルラＲＡＮのトラフィック負荷を削減することができる（オフロード）。【０００５】
また、セルラＲＡＮ及び無線ＬＡＮの中からユーザ端末のトラフィックを収容するアクセスネットワークを選択するためのネットワーク選択方式として、複数のネットワーク選択方式が提案されている（非特許文献１参照）。
【先行技術文献】
【非特許文献】
【０００６】
【非特許文献１】３ＧＰＰ技術報告書  「ＴＲ  ３７．８３４  Ｖ１．０．０」  ２０１３年８月
【発明の概要】
【０００７】
しかしながら、現在提案されている複数のネットワーク選択方式のそれぞれは、メリット及びデメリットが存在する。よって、何れか１つのネットワーク選択方式のみで固定的に運用することは、ネットワーク選択を改善する観点から好ましくない。
【０００８】
そこで、本発明は、ネットワーク選択方式を適切に使い分け可能とする通信制御方法、ユーザ端末、及び基地局を提供することを目的とする。
【０００９】
第１の特徴に係る通信制御方法は、セルラＲＡＮ及び無線ＬＡＮの中からユーザ端末のトラフィックを収容するアクセスネットワークを選択するための複数のネットワーク選択方式を利用可能な通信システムにおいて用いられる。前記通信制御方法は、前記セルラＲＡＮに含まれるセルに在圏するユーザ端末が、前記複数のネットワーク選択方式の中から前記セルラＲＡＮが決定したネットワーク選択方式に関するネットワーク選択構成を前記セルラＲＡＮから受信するステップを有する。
【００１０】
第２の特徴に係るユーザ端末は、セルラＲＡＮ及び無線ＬＡＮの中からユーザ端末のトラフィックを収容するアクセスネットワークを選択するための複数のネットワーク選択方式を利用可能な通信システムにおいて、前記セルラＲＡＮに含まれるセルに在圏する。前記ユーザ端末は、前記複数のネットワーク選択方式の中から前記セルラＲＡＮが決定したネットワーク選択方式に関するネットワーク選択構成を前記セルラＲＡＮから受信する受信部を備える。
【００１１】
第３の特徴に係る基地局は、セルラＲＡＮ及び無線ＬＡＮの中からユーザ端末のトラフィックを収容するアクセスネットワークを選択するための複数のネットワーク選択方式を利用可能な通信システムにおいて、前記セルラＲＡＮを構成する。前記基地局は、自セルに在圏するユーザ端末に、前記複数のネットワーク選択方式の中から自セルで適用するネットワーク選択方式に関するネットワーク選択構成を送信する。
【図面の簡単な説明】
【００１２】
【図１】第１実施形態乃至第３実施形態に係るシステム構成図である。
【図２】第１実施形態乃至第３実施形態に係るＵＥのブロック図である。
【図３】第１実施形態乃至第３実施形態に係るｅＮＢのブロック図である。
【図４】第１実施形態乃至第３実施形態に係るＡＰのブロック図である。
【図５】ＬＴＥシステムにおける無線インターフェイスのプロトコルスタック図である。
【図６】第１実施形態乃至第３実施形態に係る動作環境を説明するための図である。
【図７】第１実施形態に係る動作シーケンス図である。
【図８】第２実施形態に係る動作シーケンス図である。
【図９】第３実施形態の動作パターン１に係る動作シーケンス図である。
【図１０】第３実施形態の動作パターン２に係る動作シーケンス図である。
【発明を実施するための形態】
【００１３】
［実施形態の概要］
第１実施形態乃至第３実施形態に係る通信制御方法は、セルラＲＡＮ及び無線ＬＡＮの中からユーザ端末のトラフィックを収容するアクセスネットワークを選択するための複数のネットワーク選択方式を利用可能な通信システムにおいて用いられる。前記通信制御方法は、前記セルラＲＡＮに含まれるセルに在圏するユーザ端末が、前記複数のネットワーク選択方式の中から前記セルラＲＡＮが決定したネットワーク選択方式に関するネットワーク選択構成を前記セルラＲＡＮから受信するステップを有する。
【００１４】
第１実施形態乃至第３実施形態では、前記ネットワーク選択構成は、前記セルラＲＡＮが決定したネットワーク選択方式を指定する情報と、前記セルラＲＡＮが決定したネットワーク選択方式に対応するネットワーク選択パラメータと、を含む。
【００１５】
第１実施形態乃至第３実施形態では、前記通信制御方法は、前記ネットワーク選択構成を前記ユーザ端末が許容する場合に、前記ユーザ端末が前記ネットワーク選択構成を適用するステップと、前記ネットワーク選択構成を前記ユーザ端末が許容しない場合に、その旨の通知を前記ユーザ端末から前記セルラＲＡＮに送信するステップと、前記通知に応じて前記セルラＲＡＮから新たに送信されたネットワーク選択構成を前記ユーザ端末が受信するステップと、をさらに有する。
【００１６】
第１実施形態乃至第３実施形態では、前記通信制御方法は、前記ネットワーク選択構成に含まれる前記ネットワーク選択パラメータに不足がある場合に、不足するネットワーク選択パラメータを示す情報を前記ユーザ端末から前記セルラＲＡＮに送信するステップと、前記不足するネットワーク選択パラメータを前記ユーザ端末が前記セルラＲＡＮから受信するステップと、をさらに有する。
【００１７】
第２実施形態及び第３実施形態では、前記ユーザ端末は、所定のトリガに応じて前記セルラＲＡＮから送信された前記ネットワーク選択構成を受信する。前記所定のトリガは、前記セルラＲＡＮが過負荷であること、又は、前記セルラＲＡＮと前記無線ＬＡＮとの間でトラフィックの切り替えが多発していることである。
【００１８】
第２実施形態及び第３実施形態では、前記複数のネットワーク選択方式は、前記ユーザ端末のトラフィックを収容するアクセスネットワークの決定権を前記ユーザ端末が持つ第１の方式と、前記決定権を前記セルラＲＡＮが持つ第２の方式と、を含む。前記所定のトリガに応じて前記セルラＲＡＮから送信された前記ネットワーク選択構成は、前記第２の方式を指定する情報を含む。
【００１９】
第２実施形態及び第３実施形態では、前記複数のネットワーク選択方式は、前記ユーザ端末のトラフィックを収容するアクセスネットワークの選択規則をＡＮＤＳＦサーバからのみ提供する第１の方式と、前記選択規則を前記セルラＲＡＮから提供可能な第２の方式と、を含む。前記所定のトリガに応じて前記セルラＲＡＮから送信された前記ネットワーク選択構成は、前記第２の方式を指定する情報を含む。
【００２０】
第３実施形態の動作パターン１では、前記通信制御方法は、前記セルラＲＡＮと前記無線ＬＡＮとの間におけるトラフィックの切り替え回数に関する閾値を前記ユーザ端末が前記セルラＲＡＮから受信するステップと、前記ユーザ端末における前記切り替え回数が前記閾値を超えたことに応じて、その旨の通知を前記ユーザ端末から前記セルラＲＡＮに送信するステップと、をさらに有する。
【００２１】
第３実施形態の動作パターン２では、前記通信制御方法は、前記ユーザ端末が前記セルラＲＡＮとの接続を解放する際に、無線ＬＡＮ報告要求を前記ユーザ端末が前記セルラＲＡＮから受信するステップと、前記ユーザ端末が、前記セルラＲＡＮとの次回接続時に、前記無線ＬＡＮ報告要求に基づいて、直前に接続した無線ＬＡＮに関する無線ＬＡＮ報告を前記セルラＲＡＮに送信するステップと、をさらに有する。
【００２２】
第１実施形態乃至第３実施形態では、前記通信制御方法は、前記複数のネットワーク選択方式の中から前記セルラＲＡＮが決定したネットワーク選択方式を示す情報を前記セルラＲＡＮからコアネットワークが受信するステップをさらに有する。
【００２３】
第１実施形態乃至第３実施形態に係るユーザ端末は、セルラＲＡＮ及び無線ＬＡＮの中からユーザ端末のトラフィックを収容するアクセスネットワークを選択するための複数のネットワーク選択方式を利用可能な通信システムにおいて、前記セルラＲＡＮに含まれるセルに在圏する。前記ユーザ端末は、前記複数のネットワーク選択方式の中から前記セルラＲＡＮが決定したネットワーク選択方式に関するネットワーク選択構成を前記セルラＲＡＮから受信する受信部を備える。
【００２４】
［第１実施形態］
以下、図面を参照して、３ＧＰＰ規格に準拠して構成されるセルラ通信システム（ＬＴＥシステム）を無線ＬＡＮ（ＷＬＡＮ）システムと連携させる場合の実施形態を説明する。
【００２５】
（システム構成）
図１は、第１実施形態に係るシステム構成図である。図１に示すように、セルラ通信システムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００２６】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、セルラ通信システムのネットワークを構成する。
【００２７】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００２８】
Ｅ−ＵＴＲＡＮ１０は、複数のｅＮＢ２００（ｅｖｏｌｖｅｄ  Ｎｏｄｅ−Ｂ）を含む。ｅＮＢ２００はセルラ基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００２９】
ｅＮＢ２００は、Ｘ２インターフェイスを介して相互に接続される。また、ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と接続される。
【００３０】
ＥＰＣ２０は、複数のＭＭＥ／Ｓ−ＧＷ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３１】
ＷＬＡＮ３０は、ＷＬＡＮアクセスポイント（以下、単に「ＡＰ」という）３００を含む。ＡＰ３００は、例えばセルラ通信システムのオペレータにより管理されるＡＰ（Ｏｐｅｒａｔｏｒ  ｃｏｎｔｒｏｌｌｅｄ  ＡＰ）である。
【００３２】
ＷＬＡＮ３０は、例えばＩＥＥＥ  ８０２．１１諸規格に準拠して構成される。ＡＰ３００は、セルラ周波数帯とは異なる周波数帯（ＷＬＡＮ周波数帯）でＵＥ１００との通信を行う。ＡＰ３００は、ルータなどを介してＥＰＣ２０に接続される。
【００３３】
また、ｅＮＢ２００及びＡＰ３００が個別に配置される場合に限らず、ｅＮＢ２００及びＡＰ３００が同じ場所に配置（Ｃｏｌｌｏｃａｔｅｄ）されていてもよい。Ｃｏｌｌｏｃａｔｅｄの一形態として、ｅＮＢ２００及びＡＰ３００がオペレータの任意のインターフェイスで直接的に接続されていてもよい。
【００３４】
ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバ６００をさらに含む。ＡＮＤＳＦサーバ６００は、ＷＬＡＮ３０に関するＡＮＤＳＦ情報を管理する。ＡＮＤＳＦサーバ６００は、ＮＡＳ（Ｎｏｎ  Ａｃｃｅｓｓ  Ｓｔｒａｔｕｍ）メッセージにより、ＷＬＡＮ３０に関するＡＮＤＳＦ情報をＵＥ１００に提供する。
【００３５】
なお、ＵＥ１００がＨ−ＰＬＭＮ（Ｈｏｍｅ  Ｐｕｂｌｉｃ  Ｌａｎｄ  Ｍｏｂｉｌｅ  Ｎｅｔｗｏｒｋ）において利用するＡＮＤＳＦサーバ６００は、Ｈ−ＡＮＤＳＦサーバと称される。ＵＥ１００がＶ−ＰＬＭＮ（Ｖｉｓｉｔｅｄ  Ｐｕｂｌｉｃ  Ｌａｎｄ  Ｍｏｂｉｌｅ  Ｎｅｔｗｏｒｋ）においてローミング中に利用するＡＮＤＳＦサーバ６００は、Ｖ−ＡＮＤＳＦサーバと称される。
【００３６】
次に、ＵＥ１００、ｅＮＢ２００、及びＡＰ３００の構成を説明する。
【００３７】
図２は、ＵＥ１００のブロック図である。図２に示すように、ＵＥ１００は、アンテナ１０１及び１０２と、セルラ通信部１１１と、ＷＬＡＮ通信部１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３８】
アンテナ１０１及びセルラ通信部１１１は、セルラ無線信号の送受信に用いられる。セルラ通信部１１１は、プロセッサ１６０が出力するベースバンド信号をセルラ無線信号に変換してアンテナ１０１から送信する。また、セルラ通信部１１１は、アンテナ１０１が受信するセルラ無線信号をベースバンド信号に変換してプロセッサ１６０に出力する。
【００３９】
アンテナ１０２及びＷＬＡＮ通信部１１２は、ＷＬＡＮ無線信号の送受信に用いられる。ＷＬＡＮ通信部１１２は、プロセッサ１６０が出力するベースバンド信号をＷＬＡＮ無線信号に変換してアンテナ１０２から送信する。また、ＷＬＡＮ通信部１１２は、アンテナ１０２が受信するＷＬＡＮ無線信号をベースバンド信号に変換してプロセッサ１６０に出力する。
【００４０】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４１】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００４２】
図３は、ｅＮＢ２００のブロック図である。図３に示すように、ｅＮＢ２００は、アンテナ２０１と、セルラ通信部２１０と、ネットワークインターフェイス２２０と、メモリ２３０と、プロセッサ２４０と、を有する。メモリ２３０及びプロセッサ２４０は、制御部を構成する。
【００４３】
アンテナ２０１及びセルラ通信部２１０は、セルラ無線信号の送受信に用いられる。セルラ通信部２１０は、プロセッサ２４０が出力するベースバンド信号をセルラ無線信号に変換してアンテナ２０１から送信する。また、セルラ通信部２１０は、アンテナ２０１が受信するセルラ無線信号をベースバンド信号に変換してプロセッサ２４０に出力する。
【００４４】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。また、ネットワークインターフェイス２２０は、ＥＰＣ２０を介したＡＰ３００との通信に使用される。
【００４５】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４６】
図４は、ＡＰ３００のブロック図である。図４に示すように、ＡＰ３００は、アンテナ３０１と、ＷＬＡＮ通信部３１１と、ネットワークインターフェイス３２０と、メモリ３３０と、プロセッサ３４０と、を有する。
【００４７】
アンテナ３０１及びＷＬＡＮ通信部３１１は、ＷＬＡＮ無線信号の送受信に用いられる。ＷＬＡＮ通信部３１１は、プロセッサ３４０が出力するベースバンド信号をＷＬＡＮ無線信号に変換してアンテナ３０１から送信する。また、ＷＬＡＮ通信部３１１は、アンテナ３０１が受信するＷＬＡＮ無線信号をベースバンド信号に変換してプロセッサ３４０に出力する。
【００４８】
ネットワークインターフェイス３２０は、ルータなどを介してＥＰＣ２０と接続される。また、ネットワークインターフェイス３２０は、ＥＰＣ２０を介したｅＮＢ２００との通信に使用される。
【００４９】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。
【００５０】
図５は、セルラ通信システムにおける無線インターフェイスのプロトコルスタック図である。図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５１】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００５２】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを選択するスケジューラを含む。
【００５３】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５４】
ＰＤＣＰレイヤは、ヘッダ圧縮・伸張、及び暗号化・復号化を行う。
【００５５】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はセルラ通信の接続状態（ＲＲＣ接続状態）であり、そうでない場合、ＵＥ１００はセルラ通信のアイドル状態（ＲＲＣアイドル状態）である。
【００５６】
ＲＲＣレイヤの上位に位置するＮＡＳレイヤは、セッション管理及びモビリティ管理などを行う。ＭＭＥ３００及びＡＮＤＳＦサーバ６００は、ＮＡＳメッセージをＵＥ１００と送受信する。
【００５７】
（第１実施形態に係る動作）
以下において、第１実施形態に係る動作について説明する。
【００５８】
（１）動作概要
図６は、第１実施形態に係る動作環境を説明するための図である。図６に示すように、ｅＮＢ２００のセルのカバレッジ内に複数のＡＰ３００が設けられている。また、ｅＮＢ２００のセルのカバレッジ内に複数のＵＥ１００が在圏している。ＵＥ１００は、ｅＮＢ２００との接続を確立しており、ｅＮＢ２００とのセルラ通信を行っている。具体的には、ＵＥ１００は、トラフィック（ユーザデータ）を含んだセルラ無線信号をｅＮＢ２００と送受信している。
【００５９】
このような動作環境において、ｅＮＢ２００（Ｅ−ＵＴＲＡＮ１０）が収容しているＵＥ１００のトラフィックを、ＡＰ３００（ＷＬＡＮ３０）が収容するよう切り替えるトラフィック・ステアリングにより、ｅＮＢ２００のトラフィック負荷を削減することができる（オフロード）。トラフィック・ステアリングには、ＵＥ１００の接続先をｅＮＢ２００とＡＰ３００との間で切り替える場合と、ＵＥ１００がｅＮＢ２００及びＡＰ３００の両方に接続しつつデータパス（ベアラ）をｅＮＢ２００とＡＰ３００との間で切り替える場合と、がある。
【００６０】
また、Ｅ−ＵＴＲＡＮ１０及びＷＬＡＮ３０の中からＵＥ１００のトラフィックを収容するアクセスネットワーク（以下、「収容ネットワーク」という）を選択するためのネットワーク選択方式として、複数のネットワーク選択方式が存在する。
【００６１】
複数のネットワーク選択方式は、収容ネットワークを決定する主体が異なる。例えば、複数のネットワーク選択方式は、収容ネットワークの決定権をＵＥ１００が持つ方式と、収容ネットワークの決定権をＥ−ＵＴＲＡＮ１０が持つ方式と、を含む。
【００６２】
或いは、複数のネットワーク選択方式は、収容ネットワークの選択規則を提供する主体が異なる。例えば、複数のネットワーク選択方式は、収容ネットワークの選択規則をＡＮＤＳＦサーバ６００からのみ提供する方式と、収容ネットワークの選択規則をＥ−ＵＴＲＡＮ１０から提供可能な方式と、を含む。
【００６３】
第１実施形態では、ネットワーク選択方式のうちＥ−ＵＴＲＡＮ１０が関与するネットワーク選択方式（以下、「ＲＡＮ  Ｓｏｌｕｔｉｏｎ」という）を主な対象とする。
【００６４】
ＲＡＮ  Ｓｏｌｕｔｉｏｎ１は、収容ネットワークの選択規則をＡＮＤＳＦサーバ６００からのみ提供する方式であって、かつ収容ネットワークの決定権をＵＥ１００が持つ方式である。Ｅ−ＵＴＲＡＮ１０は、ＵＥ１００に対して補助情報（ネットワーク選択パラメータなど）を提供する。
【００６５】
ＲＡＮ  Ｓｏｌｕｔｉｏｎ２は、収容ネットワークの選択規則をＥ−ＵＴＲＡＮ１０から提供可能な方式であって、かつ収容ネットワークの決定権をＵＥ１００が持つ方式である。なお、収容ネットワークの選択規則をＡＮＤＳＦサーバ６００からも提供可能である。
【００６６】
ＲＡＮ  Ｓｏｌｕｔｉｏｎ３は、ＲＡＮ  Ｓｏｌｕｔｉｏｎ１及び２とは異なり、収容ネットワークの決定権をＥ−ＵＴＲＡＮ１０が持つ方式である。ＲＡＮ  Ｓｏｌｕｔｉｏｎ３では、ＬＴＥシステムのハンドオーバ手順と同様な手順でＥ−ＵＴＲＡＮ１０が収容ネットワークを決定する。
【００６７】
第１実施形態では、このような様々なＲＡＮ  Ｓｏｌｕｔｉｏｎを適切に使い分け可能とする。第１実施形態に係る通信制御方法は、Ｅ−ＵＴＲＡＮ１０に含まれるセルに在圏するＵＥ１００が、複数のＲＡＮ  Ｓｏｌｕｔｉｏｎの中からＥ−ＵＴＲＡＮ１０が決定したＲＡＮ  Ｓｏｌｕｔｉｏｎに関するネットワーク選択構成（Ｃｏｎｆｉｇｕｒａｔｉｏｎ）をＥ−ＵＴＲＡＮ１０から受信するステップを有する。
【００６８】
このように、第１実施形態では、ＲＡＮ  ＳｏｌｕｔｉｏｎをＥ−ＵＴＲＡＮ１０が決定し、決定したＲＡＮ  ＳｏｌｕｔｉｏｎをＥ−ＵＴＲＡＮ１０からＵＥ１００に設定する。これにより、Ｅ−ＵＴＲＡＮ１０の状況に応じた最適なＲＡＮ  Ｓｏｌｕｔｉｏｎを設定できる。Ｅ−ＵＴＲＡＮ１０は、セルごとにＲＡＮ  Ｓｏｌｕｔｉｏｎを決定してもよく、ＵＥ１００ごとにＲＡＮ  Ｓｏｌｕｔｉｏｎを決定してもよい。これにより、セルごと又はＵＥ１００ごとに最適なＲＡＮ  Ｓｏｌｕｔｉｏｎを適用できる。
【００６９】
第１実施形態では、ネットワーク選択構成は、Ｅ−ＵＴＲＡＮ１０が決定したＲＡＮ  Ｓｏｌｕｔｉｏｎを指定する情報（ＲＡＮ  Ｓｏｌｕｔｉｏｎ番号）と、Ｅ−ＵＴＲＡＮ１０が決定したＲＡＮ  Ｓｏｌｕｔｉｏｎに対応するネットワーク選択パラメータと、を含む。ネットワーク選択パラメータとは、当該ＲＡＮ  Ｓｏｌｕｔｉｏｎ番号に対応するネットワーク選択規則に適用されるパラメータ（閾値或いは変数）である。これにより、ＲＡＮ  Ｓｏｌｕｔｉｏｎごとに適切なネットワーク選択パラメータをＵＥ１００に設定できる。
【００７０】
ネットワーク選択規則とネットワーク選択パラメータとの関係を例示すると、「セルラ測定値＜Ａ  ＆  ＷＬＡＮ測定値＞Ｂ」でＥ−ＵＴＲＡＮ１０からＷＬＡＮ３０に対してトラフィック・ステアリングを行うという規則がネットワーク選択規則に相当し、「Ａ」及び「Ｂ」がネットワーク選択パラメータに相当する。
【００７１】
また、第１実施形態に係る通信制御方法は、ネットワーク選択構成をＵＥ１００が許容する場合に、ＵＥ１００がネットワーク選択構成を適用するステップと、ネットワーク選択構成をＵＥ１００が許容しない場合に、その旨の通知をＵＥ１００からＥ−ＵＴＲＡＮ１０に送信するステップと、当該通知に応じてＥ−ＵＴＲＡＮ１０から新たに送信されたネットワーク選択構成をＵＥ１００が受信するステップと、をさらに有する。これにより、ＵＥ１００の状態も考慮して、適切なネットワーク選択構成（ＲＡＮ  Ｓｏｌｕｔｉｏｎ番号、ネットワーク選択パラメータ）をＵＥ１００に設定できる。
【００７２】
第１実施形態に係る通信制御方法は、ネットワーク選択構成に含まれるネットワーク選択パラメータに不足がある場合に、不足するネットワーク選択パラメータを示す情報をＵＥ１００からＥ−ＵＴＲＡＮ１０に送信するステップと、不足するネットワーク選択パラメータをＵＥ１００がＥ−ＵＴＲＡＮ１０から受信するステップと、をさらに有する。これにより、十分なネットワーク選択パラメータをＵＥ１００に設定できる。
【００７３】
（２）動作具体例
図７は、第１実施形態に係る動作シーケンス図である。
【００７４】
図７に示すように、ステップＳ１０１において、ＥＰＣ２０は、ＥＰＣ２０に関するネットワーク構成情報をｅＮＢ２００に通知する。ネットワーク構成情報は、ＥＰＣ２０におけるＡＮＤＳＦサーバ６００の有無・状態を含む。ネットワーク構成情報は、オペレータポリシーを含んでもよい。
【００７５】
ステップＳ１０２において、ｅＮＢ２００は、ＥＰＣ２０に関するネットワーク構成情報に基づいて、自セルにおいて適用するＲＡＮ  Ｓｏｌｕｔｉｏｎ番号を決定する。具体的には、ＡＮＤＳＦサーバ６００が存在するか否か、ＡＮＤＳＦサーバ６００が提供するネットワーク選択規則の有効期限が切れているか否かなどを判断する。例えば、ＡＮＤＳＦサーバ６００が存在しない場合、又はＡＮＤＳＦサーバ６００が提供するネットワーク選択規則の有効期限が切れている場合には、ＲＡＮ  Ｓｏｌｕｔｉｏｎ２又は３を決定する。ｅＮＢ２００は、決定したＲＡＮ  Ｓｏｌｕｔｉｏｎ番号をＥＰＣ２０に通知してもよい。
【００７６】
ステップＳ１０３において、ｅＮＢ２００は、システム情報により、自セルで適用するＲＡＮ  Ｓｏｌｕｔｉｏｎ番号を含んだネットワーク選択構成を報知（ブロードキャスト）する。或いは、ｅＮＢ２００は、ＲＲＣシグナリング（例えばＲＲＣ  Ｃｏｎｎｅｃｔｉｏｎ  Ｒｅｃｏｎｆｉｇｕｒａｔｉｏｎ）により、当該ネットワーク選択構成をＵＥ１００個別に通知してもよい。
【００７７】
ネットワーク選択構成は、ＲＡＮ  Ｓｏｌｕｔｉｏｎ番号に加えて、当該ＲＡＮ  Ｓｏｌｕｔｉｏｎ番号に対応するネットワーク選択パラメータを含んでもよい。ＵＥ１００は、ネットワーク選択構成を受信する。
【００７８】
ネットワーク選択構成は、ＡＮＤＳＦサーバ６００に関する優先度（以下、「ＡＮＤＳＦ優先度」という）の情報を含んでもよい。ＡＮＤＳＦ優先度の情報とは、ＡＮＤＳＦサーバ６００のネットワーク選択規則及びｅＮＢ２００（Ｅ−ＵＴＲＡＮ１０）のネットワーク選択規則のうち何れを優先すべきかの情報、Ｈ−ＡＮＤＳＦサーバ及びＶ−ＡＮＤＳＦサーバのうち何れを優先すべきかの情報などである。
【００７９】
ステップＳ１０４において、ＵＥ１００は、ｅＮＢ２００から受信したネットワーク選択構成を、過去に設定された又は現在設定されているネットワーク選択構成と比較し、ｅＮＢ２００から受信したネットワーク選択構成を許容するか否かを判断する。構成不一致の場合、例えば、ローミング中のＵＥ１００が既にＨ−ＡＮＤＳＦサーバからのネットワーク選択構成を有している場合で、かつＲＡＮ  Ｓｏｌｕｔｉｏｎ１が指定された場合、当該ＵＥ１００は、ｅＮＢ２００から受信したネットワーク選択構成を拒否すると判断する。或いは、ローミング中のＵＥ１００は、Ｖ−ＡＮＤＳＦサーバを利用できない契約の場合で、かつＲＡＮ  Ｓｏｌｕｔｉｏｎ１（又は２）が指定された場合には、ｅＮＢ２００から受信したネットワーク選択構成を拒否すると判断してもよい。
【００８０】
ｅＮＢ２００から受信したネットワーク選択構成を拒否すると判断した場合、ステップＳ１０５において、ＵＥ１００は、ｅＮＢ２００から受信したネットワーク選択構成を拒否することを示す拒否通知（ＲＲＣメッセージ）をｅＮＢ２００に送信する。拒否通知は、拒否する理由を示す情報を含んでもよい。
【００８１】
ステップＳ１０６において、拒否通知を受信したｅＮＢ２００は、拒否理由及びＵＥ１００のローミング状況等に基づいて、適用するＲＡＮ  Ｓｏｌｕｔｉｏｎを再決定する。例えば、ローミング中のＵＥ１００については、当該ＵＥ１００のＨ−ＡＮＤＳＦサーバ設定に従いながらＲＡＮ  Ｓｏｌｕｔｉｏｎ１を決定する。或いは、当初決定したＲＡＮ  Ｓｏｌｕｔｉｏｎの適用を強制すると判断し、ＵＥ１００からの拒否通知に応じない旨を応答してもよい。
【００８２】
ステップＳ１０７において、ｅＮＢ２００は、再決定したＲＡＮ  Ｓｏｌｕｔｉｏｎ番号及び対応するネットワーク選択パラメータを含んだ新たなネットワーク選択構成（ＲＲＣメッセージ）をＵＥ１００にユニキャストで通知する。
【００８３】
ステップＳ１０８において、ＵＥ１００は、ｅＮＢ２００から受信したネットワーク選択構成（ＲＡＮ  ｓｏｌｕｔｉｏｎ番号、ネットワーク選択パラメータ、ＡＮＤＳＦ優先度）の適用を開始する。
【００８４】
ステップＳ１０９において、ＵＥ１００は、適用したＲＡＮ  ｓｏｌｕｔｉｏｎ番号（及びＡＮＤＳＦ優先度）に基づいて、不足するネットワーク選択パラメータの有無を確認する。不足するネットワーク選択パラメータは、更新が必要なネットワーク選択パラメータを含む。
【００８５】
不足するネットワーク選択パラメータがある場合、ステップＳ１１０において、ＵＥ１００は、不足するネットワーク選択パラメータの送信要求をｅＮＢ２００に送信する。当該送信要求は、不足するネットワーク選択パラメータの項目（ＩＤ）を含む。なお、周期的な更新が必要な場合は、その旨、及び更新間隔を通知してもよい。或いは、イベントトリガで更新が必要な場合は、その旨、及びトリガ条件を通知してもよい。
【００８６】
ステップＳ１１１において、ｅＮＢ２００は、ＵＥ１００からのパラメータ送信要求に従い、不足するネットワーク選択パラメータを含んだ応答をＵＥ１００に送信する。
【００８７】
ステップＳ１１２において、ＵＥ１００は、ｅＮＢ２００から提供されたネットワーク選択パラメータを設定する。
【００８８】
［第２実施形態］
第２実施形態について、第１実施形態との相違点を主として説明する。第２実施形態は、システム構成及び動作環境作については、第１実施形態と同様である。
【００８９】
（第２実施形態に係る動作）
（１）動作概要
ＵＥ１００は、所定のトリガに応じてＥ−ＵＴＲＡＮ１０から送信されたネットワーク選択構成を受信する。第２実施形態では、所定のトリガは、Ｅ−ＵＴＲＡＮ１０が過負荷であることである。
【００９０】
第２実施形態では、Ｅ−ＵＴＲＡＮ１０が過負荷であるというトリガに応じてＥ−ＵＴＲＡＮ１０から送信されたネットワーク選択構成は、収容ネットワークの決定権をＥ−ＵＴＲＡＮ１０が持つＲＡＮ  ｓｏｌｕｔｉｏｎ３を指定する情報（ＲＡＮ  Ｓｏｌｕｔｉｏｎ番号）を含む。或いは、Ｅ−ＵＴＲＡＮ１０が過負荷であるというトリガに応じてＥ−ＵＴＲＡＮ１０から送信されたネットワーク選択構成は、収容ネットワークの選択規則をＥ−ＵＴＲＡＮ１０から提供可能なＲＡＮ  ｓｏｌｕｔｉｏｎ２又は３を指定する情報（ＲＡＮ  Ｓｏｌｕｔｉｏｎ番号）を含む。
【００９１】
これにより、Ｅ−ＵＴＲＡＮ１０が過負荷である場合に、Ｅ−ＵＴＲＡＮ１０がネットワーク選択に関与する度合いを高くすることができるため、Ｅ−ＵＴＲＡＮ１０の負荷を削減可能とすることができる。
【００９２】
（２）動作具体例
図８は、第２実施形態に係る動作シーケンス図である。
【００９３】
図８に示すように、ステップＳ１０３において、ｅＮＢ２００は、システム情報により、自セルで適用するＲＡＮ  Ｓｏｌｕｔｉｏｎ番号（及びネットワーク選択パラメータ、ＡＮＤＳＦ優先度）を含んだネットワーク選択構成を報知する。
【００９４】
ステップＳ１０８において、ＵＥ１００は、ｅＮＢ２００から受信したネットワーク選択構成（ＲＡＮ  ｓｏｌｕｔｉｏｎ番号、ネットワーク選択パラメータ、ＡＮＤＳＦ優先度）の適用を開始する。
【００９５】
ステップＳ１１２において、ＵＥ１００は、ｅＮＢ２００から提供されたネットワーク選択パラメータを設定する。
【００９６】
ステップＳ２０１において、ｅＮＢ２００は、Ｅ−ＵＴＲＡＮ１０（或いは、自セル又は自ｅＮＢ２００）の過負荷状態を検知する。
【００９７】
ステップＳ２０２において、ｅＮＢ２００は、Ｅ−ＵＴＲＡＮ１０の負荷を削減するための緊急（一時的な）ＲＡＮ  ｓｏｌｕｔｉｏｎを決定する。また、ｅＮＢ２００は、ＲＡＮ  ｓｏｌｕｔｉｏｎに対応する緊急（一時的な）ネットワーク選択パラメータを決定してもよい。このような決定処理において、ＥＰＣ２０への報告、問い合わせを行ってもよい。
【００９８】
ステップＳ２０３において、ｅＮＢ２００は、ステップＳ２０２で決定したＲＡＮ  ｓｏｌｕｔｉｏｎ、ネットワーク選択パラメータを含んだネットワーク選択構成を報知する。或いは、ｅＮＢ２００は、ＲＲＣメッセージでＵＥ１００個別に通知してもよい。緊急（一時的な）ネットワーク選択構成は、緊急（一時的）とすることの理由を示す情報を含んでもよい。例えば、Ｅ−ＵＴＲＡＮが過負荷であることを示す情報をネットワーク選択構成に含める。この場合、ＵＥ１００は当該ネットワーク選択構成の適用が強制される。
【００９９】
ステップＳ１０８’において、ＵＥ１００は、ｅＮＢ２００から受信したネットワーク選択構成（ＲＡＮ  ｓｏｌｕｔｉｏｎ番号、ネットワーク選択パラメータ、ＡＮＤＳＦ優先度）の適用を開始する。
【０１００】
ステップＳ１０９において、ＵＥ１００は、適用したＲＡＮ  ｓｏｌｕｔｉｏｎ番号（及びＡＮＤＳＦ優先度）に基づいて、不足するネットワーク選択パラメータの有無を確認する。
【０１０１】
不足するネットワーク選択パラメータがある場合、ステップＳ１１０において、ＵＥ１００は、不足するネットワーク選択パラメータの送信要求をｅＮＢ２００に送信する。
【０１０２】
ステップＳ１１１において、ｅＮＢ２００は、ＵＥ１００からのパラメータ送信要求に従い、不足するネットワーク選択パラメータを含んだ応答をＵＥ１００に送信する。
【０１０３】
ステップＳ１１２’において、ＵＥ１００は、ｅＮＢ２００から提供されたネットワーク選択パラメータを設定する。
【０１０４】
［第３実施形態］
第３実施形態について、第１実施形態及び第２実施形態との相違点を主として説明する。第３実施形態は、システム構成及び動作環境作については、第１実施形態と同様である。
【０１０５】
（第３実施形態に係る動作）
（１）動作概要
ＵＥ１００は、所定のトリガに応じてＥ−ＵＴＲＡＮ１０から送信されたネットワーク選択構成を受信する。第３実施形態では、所定のトリガは、Ｅ−ＵＴＲＡＮ１０とＷＬＡＮ３０との間でトラフィックの切り替えが多発していることである。以下において、ＥＵＴＲＡＮ１０からＷＬＡＮ３０に対してＵＥ１００のトラフィック・ステアリングを行った後、ＷＬＡＮ３０からＥ−ＵＴＲＡＮ１０に対してＵＥ１００のトラフィック・ステアリングを行う動作を「ピンポン・ステアリング」と称する。
【０１０６】
第３実施形態では、Ｅ−ＵＴＲＡＮ１０とＷＬＡＮ３０との間でピンポン・ステアリングが多発しているというトリガに応じてＥ−ＵＴＲＡＮ１０から送信されたネットワーク選択構成は、収容ネットワークの決定権をＥ−ＵＴＲＡＮ１０が持つＲＡＮ  ｓｏｌｕｔｉｏｎ３を指定する情報（ＲＡＮ  Ｓｏｌｕｔｉｏｎ番号）を含む。或いは、Ｅ−ＵＴＲＡＮ１０とＷＬＡＮ３０との間でトラフィック・ステアリングが多発しているというトリガに応じてＥ−ＵＴＲＡＮ１０から送信されたネットワーク選択構成は、収容ネットワークの選択規則をＥ−ＵＴＲＡＮ１０から提供可能なＲＡＮ  ｓｏｌｕｔｉｏｎ２又は３を指定する情報（ＲＡＮ  Ｓｏｌｕｔｉｏｎ番号）を含む。
【０１０７】
これにより、Ｅ−ＵＴＲＡＮ１０とＷＬＡＮ３０との間でピンポン・ステアリングが多発している場合に、Ｅ−ＵＴＲＡＮ１０がネットワーク選択に関与する度合いを高くすることができるため、ピンポン・ステアリングの多発を回避可能とすることができる。
【０１０８】
第３実施形態の動作パターン１は、Ｅ−ＵＴＲＡＮ１０とＷＬＡＮ３０との間におけるピンポン・ステアリング回数に関する閾値をＵＥ１００がＥ−ＵＴＲＡＮ１０から受信するステップと、ＵＥ１００におけるピンポン・ステアリング回数が閾値を超えたことに応じて、その旨の通知をＵＥ１００からＥ−ＵＴＲＡＮ１０に送信するステップと、を有する。これにより、Ｅ−ＵＴＲＡＮ１０は、ピンポン・ステアリングの多発を検知できる。
【０１０９】
第３実施形態の動作パターン２は、ＵＥ１００がＥ−ＵＴＲＡＮ１０との接続を解放する際に、ＷＬＡＮ報告要求をＵＥ１００がＥ−ＵＴＲＡＮ１０から受信するステップと、ＵＥ１００が、Ｅ−ＵＴＲＡＮ１０との次回接続時に、ＷＬＡＮ報告要求に基づいて、直前に接続したＷＬＡＮ３０に関するＷＬＡＮ報告をＥ−ＵＴＲＡＮ１０に送信するステップと、を有する。これにより、Ｅ−ＵＴＲＡＮ１０は、ピンポン・ステアリングが行われたＵＥ１００を検知することで、ピンポン・ステアリングの多発を検知できる。
【０１１０】
（２）動作具体例
（２．１）動作パターン１
図９は、第３実施形態の動作パターン１に係る動作シーケンス図である。
【０１１１】
図９に示すように、ステップＳ１０３において、ｅＮＢ２００は、システム情報により、自セルで適用するＲＡＮ  Ｓｏｌｕｔｉｏｎ番号（及びネットワーク選択パラメータ、ＡＮＤＳＦ優先度）を含んだネットワーク選択構成を報知する。
【０１１２】
ステップＳ１０８において、ＵＥ１００は、ｅＮＢ２００から受信したネットワーク選択構成（ＲＡＮ  ｓｏｌｕｔｉｏｎ番号、ネットワーク選択パラメータ、ＡＮＤＳＦ優先度）の適用を開始する。
【０１１３】
ステップＳ１１２において、ＵＥ１００は、ｅＮＢ２００から提供されたネットワーク選択パラメータを設定する。
【０１１４】
ステップＳ３０１において、ｅＮＢ２００は、Ｅ−ＵＴＲＡＮ１０とＷＬＡＮ３０との間におけるピンポン・ステアリングに関する閾値をシステム情報により報知する。或いは、ｅＮＢ２００は、ＲＲＣメッセージによりＵＥ１００個別に通知してもよい。或いは、当該閾値は、ＵＥ１００が予め保持していてもよい。
【０１１５】
ステップＳ３０２において、ＵＥ１００は、Ｅ−ＵＴＲＡＮ１０とＷＬＡＮ３０との間でピンポン・ステアリングを行う。ピンポン・ステアリングが初めてである場合、ＵＥ１００は、タイマをリセットした上で起動する。
【０１１６】
ステップＳ３０３において、ＵＥ１００は、自身で管理しているピンポン・ステアリング回数（カウンタ）をインクリメントする。
【０１１７】
ＵＥ１００で管理しているピンポン・ステアリング回数がタイマ期間内に閾値を超えた場合（ステップＳ３０４：ＹＥＳ）、ステップＳ３０５において、ＵＥ１００は、ピンポン・ステアリング多発通知をｅＮＢ２００に送信する。ピンポン・ステアリング多発通知は、ピンポン・ステアリング多発の理由（例えば、高速移動中など）を示す情報を含んでもよい。
【０１１８】
ステップＳ２０２において、ｅＮＢ２００は、ピンポン・ステアリングを抑制するための緊急（一時的な）ＲＡＮ  ｓｏｌｕｔｉｏｎを決定する。また、ｅＮＢ２００は、ＲＡＮ  ｓｏｌｕｔｉｏｎに対応する緊急（一時的な）ネットワーク選択パラメータを決定してもよい。このような決定処理において、ＥＰＣ２０への報告、問い合わせを行ってもよい。
【０１１９】
ステップＳ２０３において、ｅＮＢ２００は、ステップＳ２０２で決定したＲＡＮ  ｓｏｌｕｔｉｏｎ、ネットワーク選択パラメータを含んだネットワーク選択構成を報知する。或いは、ｅＮＢ２００は、ＲＲＣメッセージでＵＥ１００個別に通知してもよい。緊急（一時的な）ネットワーク選択構成は、緊急（一時的）とすることの理由を示す情報を含んでもよい。例えば、ピンポン・ステアリングが多発していることを示す情報をネットワーク選択構成に含める。この場合、ＵＥ１００は当該ネットワーク選択構成の適用が強制される。
【０１２０】
ステップＳ１０８’において、ＵＥ１００は、ｅＮＢ２００から受信したネットワーク選択構成（ＲＡＮ  ｓｏｌｕｔｉｏｎ番号、ネットワーク選択パラメータ、ＡＮＤＳＦ優先度）の適用を開始する。
【０１２１】
ステップＳ１０９において、ＵＥ１００は、適用したＲＡＮ  ｓｏｌｕｔｉｏｎ番号（及びＡＮＤＳＦ優先度）に基づいて、不足するネットワーク選択パラメータの有無を確認する。
【０１２２】
不足するネットワーク選択パラメータがある場合、ステップＳ１１０において、ＵＥ１００は、不足するネットワーク選択パラメータの送信要求をｅＮＢ２００に送信する。
【０１２３】
ステップＳ１１１において、ｅＮＢ２００は、ＵＥ１００からのパラメータ送信要求に従い、不足するネットワーク選択パラメータを含んだ応答をＵＥ１００に送信する。
【０１２４】
ステップＳ１１２’において、ＵＥ１００は、ｅＮＢ２００から提供されたネットワーク選択パラメータを設定する。
【０１２５】
（２．２）動作パターン２
図１０は、第３実施形態の動作パターン２に係る動作シーケンス図である。
【０１２６】
図１０に示すように、ステップＳ１０３において、ｅＮＢ２００は、システム情報により、自セルで適用するＲＡＮ  Ｓｏｌｕｔｉｏｎ番号（及びネットワーク選択パラメータ、ＡＮＤＳＦ優先度）を含んだネットワーク選択構成を報知する。
【０１２７】
ステップＳ１０８において、ＵＥ１００は、ｅＮＢ２００から受信したネットワーク選択構成（ＲＡＮ  ｓｏｌｕｔｉｏｎ番号、ネットワーク選択パラメータ、ＡＮＤＳＦ優先度）の適用を開始する。
【０１２８】
ステップＳ１１２において、ＵＥ１００は、ｅＮＢ２００から提供されたネットワーク選択パラメータを設定する。
【０１２９】
ステップＳ３５１において、ＥＰＣ２０は、ピンポン・ステアリング回数の閾値をｅＮＢ２００に通知する。当該通知は、システム情報による報知であってもよく、ＲＲＣメッセージによる個別通知であってもよい。また、ピンポン・ステアリング回数の閾値だけでなく、ピンポン・ステアリング回数をカウントすべき期間（タイマ）を通知してもよい。
【０１３０】
ステップＳ３５２において、ｅＮＢ２００は、ＷＬＡＮ報告要求をＵＥ１００に送信する。ＷＬＡＮ報告要求は、Ｅ−ＵＴＲＡＮ１０との次回接続時に、直前に接続したＷＬＡＮ３０に関するＷＬＡＮ報告（ＳＳＩＤ、ＥＳＳＩＤなど）を要求するものである。なお、ＷＬＡＮ報告は、必ずしもＷＬＡＮ３０に関する詳細な情報でなくてもよい。例えば、ＷＬＡＮ報告は、ＷＬＡＮ３０からのトラフィック・ステアリングによりＥ−ＵＴＲＡＮ１０に接続することを示すフラグであってもよい。
【０１３１】
ステップＳ３５３において、ＵＥ１００は、ｅＮＢ２００（Ｅ−ＵＴＲＡＮ１０）からＷＬＡＮ３０へのトラフィック・ステアリングを行う。
【０１３２】
ステップＳ３５４において、ＵＥ１００は、ＷＬＡＮ３０からｅＮＢ２００（Ｅ−ＵＴＲＡＮ１０）へのトラフィック・ステアリング（ピンポン・ステアリング）を行う。ＵＥ１００は、ｅＮＢ２００と接続する際に、直前に接続したＷＬＡＮ３０に関するＷＬＡＮ報告をｅＮＢ２００に通知する。
【０１３３】
ピンポン・ステアリングが初めてである場合（ステップＳ３５５：ＹＥＳ）、ステップＳ３５６において、タイマをリセットした上で起動する。
【０１３４】
ステップＳ３５７において、ｅＮＢ２００は、自身で管理しているピンポン・ステアリング回数（カウンタ）をインクリメントする。ここでは、当該ピンポン・ステアリング回数は、ＵＥ１００個別にカウントされた値であることを想定しているが、複数のＵＥ１００についてのピンポン・ステアリング回数の合計値としてもよい。
【０１３５】
ステップＳ３５８において、ｅＮＢ２００は、自身で管理しているピンポン・ステアリング回数がタイマ期間内に閾値を超えた場合（ステップＳ３５８：ＹＥＳ）、ステップＳ２０２において、ｅＮＢ２００は、ピンポン・ステアリングを抑制するための緊急（一時的な）ＲＡＮ  ｓｏｌｕｔｉｏｎを決定する。また、ｅＮＢ２００は、ＲＡＮ  ｓｏｌｕｔｉｏｎに対応する緊急（一時的な）ネットワーク選択パラメータを決定してもよい。以降の動作は、第３実施形態の動作パターン１と同様である。
【０１３６】
［その他の実施形態］
上述した各実施形態に係る機能をサポートしているネットワーク（ＰＬＭＮ１）にローミングしていたＵＥ１００が、当該機能をサポートしていないホームネットワーク（ＰＬＭＮ２）に戻ってきた場合には、ＵＥ１００は、ＰＬＭＮ２に位置登録をする際に、ＰＬＭＮ１で設定されたネットワーク選択構成を消去してもよい。そのため、ＵＥ１００は、設定されたネットワーク選択構成を、対応するＰＬＭＮの情報と共に記憶する。また、ＵＥ１００は、位置登録中のＰＬＭＮと、現在設定中（有効な）のネットワーク選択構成とが一致することを確認する。当該確認は、常に行なってもよく、所定トリガ（ＰＬＭＮ選択時、アタッチ時、ＲＲＣ接続時、ＲＲＣ接続解放時など）で行なってもよい。
【０１３７】
また、ｅＮＢ２００は、ネットワーク選択構成の設定時に、有効期限を示す情報を付与してもよい。この場合、ＵＥ１００は、当該有効期限を超えたネットワーク選択構成は消去する。或いは、当該有効期限はＵＥ１００に予め設定されていてもよい。
【０１３８】
さらに、ｅＮＢ２００又はＵＥ１００は、ＲＲＣ接続解放時に、緊急（一時的な）ネットワーク選択構成が残っている場合には、当該ネットワーク選択構成を消去してもよい。
【０１３９】
上述した各実施形態では、セルラ通信システムの一例としてＬＴＥシステムを説明したが、ＬＴＥシステムに限定されるものではなく、ＬＴＥシステム以外のシステムに本発明を適用してもよい。上述した各動作シーケンスにおいて、ｅＮＢ２００（基地局）が行っている動作は、基地局に代えて、他のＲＡＮノード（例えばＲＮＣ）が行ってもよい。
【０１４０】
日本国特許出願第２０１３−２０２７６８号（２０１３年９月２７日出願）の全内容が、参照により、本願明細書に組み込まれている。
【産業上の利用可能性】
【０１４１】
本発明は、移動通信分野において有用である。
【図１】
0006461806.tif 000002
【図２】
0006461806.tif 000003
【図３】
0006461806.tif 000004
【図４】
0006461806.tif 000005
【図５】
0006461806.tif 000006
【図６】
0006461806.tif 000007
【図７】
0006461806.tif 000008
【図８】
0006461806.tif 000009
【図９】
0006461806.tif 000010
【図１０】
0006461806.tif 000011